(57)【要約】【課題】シンプルな構造でありながら、術者が広範囲に動きながら行う診療時にも、バキュームシリンジが手近に保持され、またバキュームシリンジの取出しがし易く、更には術者の利き手の違いを問わず、その取扱性に優れた新規な医療用診療台を提供する。【解決手段】基台１０と、該基台１０上に設けられた座部１１と、該座部１１の一端に起伏自在に連設された背板１２とよりなる医療用診療台１において、上記背板１２の背面に、その長手方向中心線を挟み左右に配置される、バキュームシリンジ７保持する複数のシリンジ保持部６を設けたものとする。【選択図】図１
0003096815.tif 000002
【実用新案登録請求の範囲】
【請求項１】
基台と、該基台上に設けられた座部と、該座部の一端に起伏自在に連設された背板とよりなる医療用診療台において、上記背板の背面に、その長手方向中心線を挟み左右に配置される、バキュームシリンジを保持する複数のシリンジ保持部を設けたことを特徴とする医療用診療台。
【請求項２】
請求項１に記載の医療用診療台において、
上記シリンジ保持部が、上記背板の背面に設けた凹部に設けられることを特徴とする医療用診療台。
【請求項３】
請求項２に記載の医療用診療台において、
上記シリンジ保持部が、上記背板の背面に設けられた溝状の凹部と、該溝状の凹部の溝底に固設されてバキュームシリンジの把持部を保持するホルダーブロックとよりなることを特徴とする医療用診療台。
【請求項４】
請求項１乃至３に記載の医療用診療台において、
上記バキュームシリンジの吸引のオン・オフスイッチが、上記バキュームシリンジ、上記基台部分、上記医療用診療台に設けた歯科診療の作業に用いるトレーテーブル、のうちの少なくとも１箇所に、設けられていることを特徴とする医療用診療台。
【請求項５】
請求項１乃至４のいずれかに記載の医療用診療台において、
上記シリンジ保持部には、バキュームシリンジの有無を検出する検出手段が設けられており、シリンジ保持部からバキュームシリンジが取出され該検出手段がバキュームシリンジ無しを検出したときには吸引をオンとし、シリンジ保持部にバキュームシリンジが保持され該検出手段がバキュームシリンジ有を検出したときには吸引をオフとする制御手段を有することを特徴とする医療用診療台。
【請求項６】
請求項１乃至５のいずれかに記載の医療用診療台において、
上記シリンジ保持部が、背板の長手方向中心線を挟み左右対称に配置されていることを特徴とする医療用診療台。
【考案の詳細な説明】
【０００１】
【考案の属する技術分野】
本考案は、バキュームシリンジの保持部を備えた医療用、特に歯科用診療台に関する。
【０００２】
【従来の技術】
歯科診療における虫歯治療時等においては、患者の口腔内に溜まる薬液、洗浄水、冷却水、唾液或いは血液等を頻繁に排出させる必要がある。このような薬液等の排出は、吸引ポンプに接続されたバキュームシリンジの吸引口を口腔内に挿入することによりなされるが、このバキュームシリンジは歯科用診療台若しくはその近傍の、術者若しくは補助者が扱い易い位置に保持されている。
【０００３】
上記のような、バキュームシリンジの保持部を備えた歯科用診療台を開示した先行技術文献として、実公平２−９７９３号公報や実公平５−４３７７９号公報が挙げられる。前者は、背板の背面に回動可能に支承された支持アームにバキュームシリンジのホルダーを取付けた例を示し、また後者は、背板の肩部にバキュームシリンジを含む各種インスツルメントを繰出し自在に保持する例を示している。
【０００４】
ところで、近年歯科診療においては、虫歯の治療だけではなく、歯垢や歯石の除去或いは歯面の清掃診療等の、所謂予防診療或いは審美診療が重要視されるようになってきた。このような予防診療等の場合、虫歯治療のように特定の歯を対象とするのではなく、全ての歯を対象とすることになるから、術者は患者頭部の廻り（例えば９時の位置、１２時の位置、更には３時の位置間）を短時間で移動することが必要となる。そして、この各診療位置においても、バキュームシリンジが簡易に取出すことができ、また収め易い位置にその保持部があることが望まれる。更には、右利き或いは左利きを問わず術者の使い勝手が良いことも求められる。
【０００５】
【考案が解決しようとする課題】
而して、上記従来技術の内、前者の場合は、支持アームを回転させることによりバキュームシリンジの保持位置を変えられるが、上記のように患者頭部の廻りを広範囲に移動しながら行う診療、或いは術者の利き手の違い、等に十分に対応し得るものとは言えなかった。また、シリンジホルダーが背板の肩部上に突出する為、これが診療の邪魔になることもあった。一方、後者の場合は、各インスツルメントの保持部の位置が定まっている為、例えば背板の右肩部に保持されているバキュームシリンジを、術者が左手で把持して患者の口腔内に挿入しようとすると、患者に不快感を与えないようそのホースを背板の背後に回さざるを得ず、作業性が悪くなると言う問題点が指摘される。更に、各インスツルメントの繰出し機構が背板内に収められるから、背板が厚くなり重量も大きくならざるを得なかった。
【０００６】
本考案は上記のような実情に鑑みなされたものであり、シンプルな構造でありながら、術者が広範囲に動きながら行う診療時にも、バキュームシリンジが手近に保持され、またバキュームシリンジの取出しがし易く、更には術者の利き手の違いを問わず、バキュームシリンジの取扱性に優れた新規な医療用診療台を提供するものである。
【０００７】
【課題を解決するための手段】
上記課題を解決するために、請求項１の考案に係る医療用診療台は、基台と、該基台上に設けられた座部と、該座部の一端に起伏自在に連設された背板とよりなる医療用診療台において、上記背板の背面に、その長手方向中心線を挟み左右に配置される、バキュームシリンジを保持する複数のシリンジ保持部を設けたことを特徴とする。
【０００８】
このように、背板の背面には、その長手方向中心線を挟み左右にバキュームシリンジを保持する複数のシリンジ保持部が設けられているから、術者は使い勝手の良い保持部にバキュームシリンジを保持させることができ、患者頭部の廻りを広範に移動して行う診療時にも、その取出し・収納保持が円滑になされ、診療作業の効率化が図られる。また、術者の利き手の違いにも的確に対応することができる。
【０００９】
請求項２の考案に係る医療用診療台は、上記シリンジ保持部が、上記背板の背面に設けた凹部に設けられることを特徴とする。このように、シリンジ保持部を凹部に設けると、バキュームシリンジの背板からの突出の程度が小さくなるか、全く突出しないことになるから、診療の妨げにならず、或いは見た目にもすっきりする。更に、請求項３では、上記シリンジ保持部が、上記背板の背面に設けられた溝状の凹部と、該溝状の凹部の溝底に固設されてバキュームシリンジの把持部を保持するホルダーブロックとよりなることを特徴とする。このように、凹部を溝状とすれば、バキュームシリンジは通常長いのでその収まりが良く、上記診療作業性や外観上の効果が一層顕著となる。
【００１０】
請求項４の考案に係る医療用診療台は、上記バキュームシリンジの吸引のオン・オフスイッチが、上記バキュームシリンジ、上記基台部分、上記医療用診療台に設けた歯科診療の作業に用いるトレーテーブル、のうちの少なくとも１箇所に、設けられていることを特徴とする。従って、術者は、バキュームシリンジを持ったままの手操作、或いは手指を使わずに足踏み操作によって、吸引のオン・オフ操作ができる。更に、トレーテーブルに設けられている場合は、トレーテーブル周辺での作業の際に吸引のオン・オフ操作ができ、いずれも、術者の負担が軽減され、診療作業の効率化が図られる。
【００１１】
請求項５の考案に係る医療用診療台は、上記シリンジ保持部には、バキュームシリンジの有無を検出する検出手段が設けられており、シリンジ保持部からバキュームシリンジが取出され該検出手段がバキュームシリンジ無しを検出したときには吸引をオンとし、シリンジ保持部にバキュームシリンジが保持され該検出手段がバキュームシリンジ有を検出したときには吸引をオフとする制御手段を有することを特徴とする。この構成によれば、シリンジ保持部からのバキュームシリンジの取出し及びシリンジ保持部への保持だけで、自動的に吸引がオフ・オフされるから、スイッチング操作の煩わしさがなく、診療作業が円滑化される。
【００１２】
請求項６の考案に係る医療用診療台は、上記シリンジ保持部が、背板の長手方向中心線を挟み左右対称に配置されていることを特徴とする。このように、左右対称であれば、術者のとるポジションが右でも左でも、均等感覚でバキュームシリンジを取り出すことができ、或いは探ることができ、更には美観上もシンメトリーでバランスがとれると言う点も付加される。
【００１３】
【考案の実施の形態】
以下に本考案の実施の形態について説明する。図１は本考案が採用された歯科用診療台の斜視図で背面から見た状態を、図２は別の角度から見た斜視図で背板を倒した状態を、夫々示す。図において、歯科用診療台１は、床面に設置される基台１０と、この基台１０上に昇降機構（不図示）を介して昇降可能に設置された座部１１と、該座部１１の一端に起伏可能に連設された背板１２と、この背板１２の上端に傾動自在に取り付けられたヘッドレスト１３と、座部１１の他端に互いに屈折可能に連設されたフットレスト１４及びステップ１５とよりなる。
【００１４】
上記座部１１の側部には水平旋回可能なハンガーアーム２０に支持された作業用トレーテーブル２が配設され、他側部にはスピットン台３が設置され、更に該スピットン台３にはデンタルライト４の支柱４０が立設されている。また、上記トレーテーブル２の一側部には各種ハンドピース５…を繰出し可能に保持するハンドピースホルダー５０が取付けられている。１６、１７は背板の傾動等、上記医療用診療台の姿勢制御を行うためのフートコントローラである。
【００１５】
背板１２の背面には、その中心線を挟み左右に２条のシリンジ保持部６、６が左右対称に溝状の凹部として設けられ、一方のシリンジ保持部６には、バキュームシリンジ７の把持部７０が保持されている。該把持部７０の基端部には吸引ホース７１が接合され、この吸引ホース７１は、途中背板１２の背面に取付けられた接続具７２を介して図外の吸引ポンプに接続されている。
【００１６】
図３は、図１における背板の上方（延長上）から見た図であり、図４は図３のＸ−Ｘ線断面図である。また、図５は図４における要部の拡大図、図６は図５におけるＹ−Ｙ線断面図である。図において、背板１２の背面にはその中心線を挟んで左右対象に２本の溝状凹部６１、６１が設けられている。この溝状凹部６１、６１の溝底部にホルダーブロック６２、６２が固設され、溝状凹部６１とホルダーブロック６２とにより、シリンジ保持部６が構成される。
【００１７】
ホルダーブロック６２は、背板１２の背面側に壁面の無い開放部分である開環部分６２ａを有する筒状に形成され、その内筒部は大径部６２ｂと小径部６２ｃとが、段部６２ｄを介し上下（背板１２の長手方向沿って）に連なっている。大径部６２ｂの内径はバキュームシリンジ７の把持部７０の外径よりやや大とされ、また小径部６２ｃの内径はバキュームシリンジ把持部７０の外径より小さく且つ上記吸引ホース７１の外径よりやや大とされている。更に、上記開環部分６２ａの幅は小径部６２ｃの内径と同寸法とされている。
【００１８】
上記構成のシリンジ保持部６に、バキュームシリンジ７の把持部７０を保持させる場合、吸引ホース７１を開環部分６２ａより小径部６２ｃに挿入させながら、バキュームシリンジ把持部７０を大径部６２ｂの上端開口部よりその長手方向に沿って挿入し、バキュームシリンジ把持部７０の基端部を上記段部６２ｄに担持させると共に、その胴部を大径部６２ｂにより抱持させる。これにより、背板１２が図１のように起立状態にあっても、また図２のように水平状態にあっても、バキュームシリンジ７がシリンジ保持部６から脱落することがない。そして、シリンジ保持部６からバキュームシリンジ７を取出す際は、バキュームシリンジ７の把持部７０を上方に少し引き出すだけで良く、このような保持・取出しは極めて簡易になされ、診療作業の効率化に大きく寄与する。また、２つのシリンジ保持部６は、術者の診療位置や利き手に応じて、その都度使い勝手の良い方を選択的に使用すればよく、極めて便利である。
【００１９】
図５に示すように、バキュームシリンジ７の把持部７０には、術者による手操作が可能な吸引オン・オフスイッチ７３が取付けられており、該吸引オン・オフスイッチ７３は、吸引ポンプ９の制御手段９０に接続されている。また、上記溝状凹部６１の底部背後の背板１２内には、シリンジの有無を検出する検出手段８が取付けられている。図は、この検出手段８として反射型フォトインタラプターを用いた例を示しており、その電気信号が上記制御手段９０に入力されるようになされている。
【００２０】
この反射型フォトインタラプター８が取付けられた溝状凹部６１の底部に透光孔６１ａが開設され、更にこの透光孔６１ａに対応する大径部６２ｂの筒壁には、透明部材が嵌め込まれた透光窓６２ｅが設けられている。反射型フォトインタラプター８は、その発光部（不図示）から透光孔６１ａ及び透光窓６２ｅを通じて照射し、その反射光を受光部（不図示）で受光検出することにより、シリンジ保持部６におけるバキュームシリンジ７の存否を判断し、電気信号に変換して上記制御手段９０に送出するものである。
【００２１】
図５において、バキュームシリンジ７の吸引ホース７１は、吸引ポンプ９の吸引口に接続され、該吸引ポンプ９のオン・オフ制御は制御手段９０によってなされる。上記オン・オフスイッチ７３の操作信号及び検出手段８の検出信号に基づく吸引ポンプ９のオン・オフ制御の一例を以下に述べる。即ち、図５のように、シリンジ保持部６にバキュームシリンジ７が保持された状態では、検出手段８はシリンジ有を検出し、制御手段９０はこの信号に基づき吸引ポンプ９を停止の状態に維持する。
【００２２】
そして、シリンジ保持部６からバキュームシリンジ７が取り出されると、検出手段８はシリンジ無しを検出し、制御手段９０はこの信号に基づき吸引ポンプ９を作動させる。その後、術者が診療作業中オン・オフスイッチ７３を操作すれば、吸引ポンプ９は停止し、再度オン・オフスイッチ７３を操作すると、吸引ポンプ９は再び作動する。このような繰り返しの後、バキュームシリンジ７がいずれかのシリンジ保持部６に保持・収納されると、上記検出手段８はシリンジ有を検出し、制御手段９０はこの信号に基づき吸引ポンプ９を停止させる。
【００２３】
尚、上記のような吸引オン・オフ制御は一例を示すものであり、これに限定されるものではない。例えば、吸引ホース７１の途中に吸引遮断、開放用の電磁弁を配設し、検出手段８の検出信号により吸引ポンプ９の作動をオン・オフ制御すると共に、オン・オフスイッチ７３の操作信号により、この電磁弁の開閉制御を行うようにすることも可能である。
【００２４】
図７は、検出手段８としてマイクロスッチを採用した例を示している。溝状凹部６１の底部及び大径部６２ｂの筒壁に開設された透孔６１ｂ、６２ｆより、マイクロスッチ８の板バネ８１が大径部６２ｂの筒内に突出し、この板バネ８１のスナップアクションによりバキュームシリンジ７の存否を検出せんとするものである。その他の構成は上記と同様であるので、共通部分には同一の符号を付し、ここではその説明を割愛する。
【００２５】
尚、上記実施の形態においては、２個のシリンジ保持部６、６を、背板１２の背面に、その中心線を挟んで左右対称に設けた例を示したが、このシリンジ保持部６を３個以上設けることも除外するものではない。また、シリンジ保持部の配設位置は必ずしも左右対称である必要はない。更に、バキュームシリンジ７も１個に限定されず、複数個のバキュームシリンジを設け、これらをいずれのシリンジ保持部６にも保持可能とすることも望ましく採用される。また、シリンジ保持部は、別体からなる溝状凹部及びホルダーブロックで構成されてもよいが、同一部材からなる一体で構成されてもよい。更に、凹部は必ずしも溝状である必要はなく、様々な形状の凹部であることも妨げなく、さらに、凹部でなくとも、バキュームシリンジを保持できるものであればよい。
【００２６】
【考案の効果】
本考案の医療用診療台においては、背板の背面に、その長手方向中心線を挟み左右にバキュームシリンジを保持する複数のシリンジ保持部が設けられているから、術者は使い勝手の良い保持部にバキュームシリンジを保持させることができ、患者頭部の廻りを広範に移動して行う診療時にも、その取出し・収納保持が円滑になされ、診療作業の効率化が図られる。また、術者の利き手の違いにも的確に対応することができる（請求項１）。
【００２７】
また、請求項２の考案のように、シリンジ保持部を凹部に設けると、バキュームシリンジの背板からの突出の程度が小さくなるか、全く突出しないことになるから、診療の妨げにならず、或いは見た目にもすっきりする。更に、請求項３の考案のように、凹部を溝状とすれば、バキュームシリンジは通常長いのでその収まりが良く、上記診療作業性や外観上の効果が一層顕著となる。
【００２８】
請求項４の考案においては、術者は、バキュームシリンジを持ったままの手操作、或いは手指を使わずに足踏み操作によって、その吸引のオン・オフ操作ができる。更に、トレーテーブルに設けられている場合は、トレーテーブル周辺での作業の際にバキュームシリンジの吸引のオン・オフ操作ができ、いずれも、術者の負担が軽減され、診療作業の効率化が図られる。
【００２９】
請求項５の考案によれば、シリンジ保持部からのバキュームシリンジの取出し及びシリンジ保持部への保持だけで、自動的に吸引がオフ・オフされるから、スイッチング操作の煩わしさがなく、診療作業が円滑化される。そして、上記オン・オフスイッチの手操作と組み合わせて吸引のオン・オフ制御をするようにすれば、診療態様に応じたより的確なバキュームシリンジの操作を実施することができる。
【００３０】
請求項６の考案のように、シリンジ保持部が背板の中心線を挟んで左右対称に設けられていると、術者のとるポジションが右でも左でも、均等感覚でバキュームシリンジを取り出すことができ、或いは探ることができ、更には美観上もシンメトリーでバランスがとれると言う点も付加される。
【図面の簡単な説明】
【図１】本考案が採用された歯科用診療台の斜視図で背面から見た状態示す図である。
【図２】同別の角度から見た斜視図で背板を倒した状態を示す図である。
【図３】図１における背板の上方（延長上）から見た図である。
【図４】図３のＸ−Ｘ線断面図である。
【図５】図４における要部の拡大図である。
【図６】図５におけるＹ−Ｙ線断面図である。
【図７】検出手段としてマイクロスッチを採用した例を示す図５と同様図である。
【符号の説明】
１　　　医療用診療台
１０　　基台
１１　　座部
１２　　背板
６　　　シリンジ保持部
６１　　溝状凹部
６２　　ホルダーブロック
７　　　バキュームシリンジ
７０　　把持部
７３　　オン・オフスイッチ
８　　　検出手段
９０　　制御手段
【図１】
0003096815.tif 000003
【図２】
0003096815.tif 000004
【図３】
0003096815.tif 000005
【図４】
0003096815.tif 000006
【図５】
0003096815.tif 000007
【図６】
0003096815.tif 000008
【図７】
0003096815.tif 000009